(57)【要約】【課題】浴槽などに使用される樹脂部分に発生したカビに対する漂白力に優れた液体漂白剤組成物を提供する。【解決手段】下記式（１）〜（３）で示される界面活性剤（Ａ）の１種若しくは２種以上の混合物及び／又は漂白剤（Ｂ）、並びに下記式（４）で示される界面活性剤（Ｃ）及び／又は溶解度パラメーターが７．５〜１１、常圧での沸点が１２０〜３００℃、かつ２５℃における粘度が５０ｍＰａ・ｓ以下である有機溶媒（Ｄ）を含有する液体漂白洗浄剤組成物。Ｘ−はハロゲンイオン又はアルキル硫酸イオン。ｆは１〜５の整数、Ｚｆ−は炭素数２以上の有機酸のアニオン。起泡性が良いため噴射時の洗浄液の飛散が少なく呼吸による人体への吸入量が少ない。また、比較的次亜塩素酸アルカリ金属塩の安定性を損なわないため、長期の貯蔵も可能である。【化１】2004149677.tif 000022【選択図】  なし【特許請求の範囲】
【請求項１】
下記一般式（１）、（２）または（３）で示される界面活性剤（Ａ）の１種もしくは２種以上の混合物および／または漂白剤（Ｂ）、並びに下記一般式（４）で示される界面活性剤（Ｃ）および／または溶解度パラメーターが７．５〜１１、常圧での沸点が１２０〜３００℃、かつ２５℃における粘度が５０ｍＰａ・ｓ以下である有機溶媒（Ｄ）を含有する液体漂白洗浄剤組成物。
【化１】
2004149677.tif 000014
［（１）〜（３）式中、Ｒ１およびＲ２は炭素数が６〜１８のアルキル基、アルケニル基もしくはヒドロキシアルキル基、エステル結合もしくはアミド結合で分断された炭素数６〜２０のアルキル基もしくはアルケニル基、または式−（Ａ１Ｏ）ｋ−Ｊ１で表される基（なお、Ａ１は炭素数２〜４のアルキレン基、Ｊ１は水素原子または炭素数１〜１８のアルキル基、ｋは１〜１０の整数である）であり、Ｒ３、Ｒ４、Ｒ６およびＲ７は炭素数１〜４のアルキル基又は炭素数２〜４のヒドロキシアルキル基、Ｒ５およびＲ８は炭素数１０〜１８のアルキル基、Ｘ−はハロゲンイオンまたは炭素数１〜８のアルキル硫酸イオンを表す。］
【化２】
2004149677.tif 000015
［（４）式中、Ｒ９は炭素数６〜１８のアルキル基、アルケニル基もしくはヒドロキシアルキル基、炭素数７〜１８のアリールアルキル基、エステル結合もしくはアミド結合で分断された炭素数６〜２０のアルキル基もしくはアルケニル基、または式−（Ａ２Ｏ）ｊ−Ｊ２で表される基（なお、Ａ２は炭素数２〜４のアルキレン基、Ｊ２は水素原子または炭素数１〜１８のアルキル基、ｊは１〜１０の整数である）であり、Ｒ１０、Ｒ１１およびＲ１２は炭素数１〜４のアルキル基又は炭素数２〜４のヒドロキシアルキル基、ｆは１〜５の整数、Ｚｆ−は炭素数２以上のｆ価の有機酸のアニオンを表す。］
【請求項２】
界面活性剤（Ａ）の１種もしくは２種以上の混合物、並びに界面活性剤（Ｃ）および／または有機溶媒（Ｄ）を含有する請求項１記載の液体漂白洗浄剤組成物。
【請求項３】
（Ａ）を０．０５〜５重量％、（Ｃ）を０．１〜５重量％、（Ｄ）を０〜１０重量％含有し、（Ａ）／（Ｃ）／（Ｄ）の重量割合が１０〜９８／１〜６０／０〜８０である請求項１又は２のいずれか記載の液体漂白洗浄剤組成物
【請求項４】
漂白剤（Ｂ）、並びに界面活性剤（Ｃ）および／または有機溶媒（Ｄ）を含有する請求項１記載の液体漂白洗浄剤組成物。
【請求項５】
漂白剤（Ｂ）が、酸素系漂白剤（Ｂ１）および塩素系漂白剤（Ｂ２）からなる群から選ばれる１種以上である請求項１または４記載の液体漂白洗浄剤組成物。
【請求項６】
界面活性剤（Ｃ）を表す一般式（４）において、Ｚｆ−を構成するｆ価の有機酸が、下記一般式（５）で示される有機酸及び一般式（６）で示される有機酸からなる群から選ばれる１種以上である請求項１〜５のいずれか記載の液体漂白洗浄剤組成物。
【化３】
2004149677.tif 000016
［（５）および（６）式中、Ｒ１３及びＲ１４は炭素数１〜１８の脂肪族炭化水素基、Ａ３及びＡ４は炭素数１〜４のアルキレン基、Ｑは−ＣＯＯＨ、−ＳＯ３Ｈもしくは−ＯＳＯ３Ｈ、ｐ及びｒは０または１〜１０の整数、ｑは１または２、ｈは１〜５の整数であり、Ｑが−ＳＯ３Ｈの場合はｐは０である。］
【請求項７】
有機溶媒（Ｄ）が下記一般式（７）で示されるグリコール系溶媒である請求項１〜６のいずれか記載の液体漂白洗浄剤組成物。
【化４】
2004149677.tif 000017
［式中、Ｒ１５は炭素数１〜１８のアルキル基、炭素数２〜１８のアルケニル基、炭素数７〜２４のアルキルフェニル基またはフェニル基、Ｒ１６は水素原子または炭素数１〜４のアルキル基もしくはアシル基、ｍは１〜１０の整数、ｎは２〜４の整数である。］
【請求項８】
界面活性剤を含有する液体漂白洗浄剤組成物であって、該界面活性剤を構成するカチオン成分が下記一般式（８）、（９）または（１０）で示されるカチオン（Ａ＋）の１種または２種以上並びに下記一般式（１１）で示されるカチオン（Ｃ＋）の１種以上からなり、アニオン成分がハロゲンアニオン（Ａ−）の１種以上並びに炭素数１以上の１〜５価の有機酸アニオン（Ｃ−）からなる群から選ばれる１種以上からなることを特徴とする液体漂白洗浄剤組成物。
【化５】
2004149677.tif 000018
［（８）〜（１０）式中、Ｒ１およびＲ２は炭素数が６〜１８のアルキル基、アルケニル基もしくはヒドロキシアルキル基、エステル結合もしくはアミド結合で分断された炭素数６〜２０のアルキル基もしくはアルケニル基、または式−（Ａ１Ｏ）ｋ−Ｊ１で表される基（なお、Ａ１は炭素数２〜４のアルキレン基、Ｊ１は水素原子または炭素数１〜１８のアルキル基、ｋは１〜１０の整数である）であり、Ｒ３、Ｒ４、Ｒ６およびＲ７は炭素数１〜４のアルキル基又は炭素数２〜４のヒドロキシアルキル基、Ｒ５およびＲ８は炭素数１０〜１８のアルキル基を表す。］
【化６】
2004149677.tif 000019
［（１１）式中、Ｒ９は炭素数６〜１８のアルキル基、アルケニル基もしくはヒドロキシアルキル基、炭素数７〜１８のアリールアルキル基、エステル結合もしくはアミド結合で分断された炭素数６〜２０のアルキル基もしくはアルケニル基、または式−（Ａ２Ｏ）ｊ−Ｊ２で表される基（なお、Ａ２は炭素数２〜４のアルキレン基、Ｊ２は水素原子または炭素数１〜１８のアルキル基、ｊは１〜１０の整数を表す）であり、Ｒ１０、Ｒ１１およびＲ１２は炭素数１〜４のアルキル基もしくは炭素数２〜４のヒドロキシアルキル基を表す］
【請求項９】
カチオン（Ａ＋）およびアニオン（Ａ−）の合計と、カチオン（Ｃ＋）およびアニオン（Ｃ−）の合計の重量割合が、１０〜９８／２〜９０である請求項８記載の液体漂白洗浄剤組成物。
【請求項１０】
さらに下記一般式（１２）で示されるアミンオキシド（Ｅ）を含有する請求項１〜９のいずれか記載の液体漂白洗浄剤組成物。
【化７】
2004149677.tif 000020
［式中、Ｒ１７は炭素数６〜２０のアルキル基またはアルケニル基、Ｒ１８およびＲ１９は炭素数１〜３のアルキル基である。］
【請求項１１】
さらに下記一般式（１３）、（１４）または（１５）で示されるアニオン性界面活性剤（Ｆ２）の１種または２種以上を含有する請求項１〜１０のいずれか記載の液体漂白洗浄剤組成物。
【化８】
2004149677.tif 000021
［式中Ｒ２０およびＲ２１は炭素数１〜１４のアルキル基であり、Ｒ２０とＲ２１のアルキル基の合計炭素数が８〜１６；Ｍ１はアルカリ金属、Ｒ２２は炭素数６〜２０の分岐または直鎖のアルキル基；Ｍ２はアルカリ金属；ｔは０または１〜２０の整数、Ｒ２３およびＲ２４は炭素数６〜１６のアルキル基；Ｍ３およびＭ４はアルカリ金属；ｍ、ｎ、ｘおよびｙは各々０または１〜５の整数（但し、ｍとｎ、ｘとｙは同時に０になることはない）］
【請求項１２】
さらにアルカリ性を呈する無機化合物および／または有機弱酸塩（Ｇ）を含有し、且つ漂白剤（Ｂ）が次亜塩素酸アルカリ金属塩である請求項１〜１１のいずれか記載の液体漂白洗浄剤組成物。
【発明の詳細な説明】
【０００１】
【発明の属する技術分野】
本発明は、液体漂白洗浄剤組成物に関するものである。さらに詳しくは、トイレ、浴槽、洗面台、台所等の住居に使用される接続部材として用いられるシリコーンシーラントやゴムパッキンに付着したカビ除去性に優れた液体漂白剤組成物に関する。
【０００２】
【従来の技術】
従来、トイレ、浴槽、洗面台および台所などの接続部材として用いられる樹脂部分に付着したカビの除去性を改良した漂白洗浄剤組成物としては、次亜塩素酸塩を含有した漂白剤に増粘剤を配合し、カビとの接触時間を長くしてカビを除去することを特徴とするもの（例えば特許文献１参照）や、次亜塩素酸塩、第４級アンモニウム型界面活性剤、アルカリ金属塩化物およびアルカリ金属水酸化物を配合した液体漂白洗浄剤組成物（例えば特許文献２参照）などが知られている。
【０００３】
【特許文献１】
特開２０００−２１２００９号公報
【特許文献２】
特開２００２−２１２５９３号公報
【０００４】
【発明が解決しようとする課題】
しかしながら、上記の方法では、シリコーンシーラントやゴムパッキンなどの樹脂表面のカビ除去性は向上するものの樹脂内部に発生したカビに対しては除去が不十分であった。本発明の目的は、浴槽などに使用される樹脂部分に発生したカビに対する漂白力に優れた液体漂白剤組成物を提供することにある。
【０００５】
【課題を解決するための手段】
本発明者らは、この様な事情に鑑み、樹脂内部に発生したカビに対しても優れた除去性を有した液体漂白洗浄剤組成物を見出すべく鋭意検討した結果、本発明に到達した。
すなわち、本発明は、
（第一発明）；
下記一般式（１）、（２）または（３）で示される界面活性剤（Ａ）の１種もしくは２種以上の混合物および／または漂白剤（Ｂ）、並びに下記一般式（４）で示される界面活性剤（Ｃ）および／または溶解度パラメーターが７．５〜１１、常圧での沸点が１２０〜３００℃、かつ２５℃における粘度が５０ｍＰａ・ｓ以下である有機溶媒（Ｄ）を含有する液体漂白洗浄剤組成物；
【０００６】
【化９】
2004149677.tif 000002
【０００７】
（１）〜（３）式中、Ｒ１およびＲ２は炭素数が６〜１８のアルキル基、アルケニル基もしくはヒドロキシアルキル基、エステル結合もしくはアミド結合で分断された炭素数６〜２０のアルキル基もしくはアルケニル基、または式−（Ａ１Ｏ）ｋ−Ｊ１で表される基（なお、Ａ１は炭素数２〜４のアルキレン基、Ｊ１は水素原子または炭素数１〜１８のアルキル基、ｋは１〜１０の整数である）であり、Ｒ３、Ｒ４、Ｒ６およびＲ７は炭素数１〜４のアルキル基又は炭素数２〜４のヒドロキシアルキル基、Ｒ５およびＲ８は炭素数１０〜１８のアルキル基、Ｘ−はハロゲンイオンまたは炭素数１〜８のアルキル硫酸イオンを表す。
【０００８】
【化１０】
2004149677.tif 000003
【０００９】
（４）式中、Ｒ９は炭素数６〜１８のアルキル基、アルケニル基もしくはヒドロキシアルキル基、炭素数７〜１８のアリールアルキル基、エステル結合もしくはアミド結合で分断された炭素数６〜２０のアルキル基もしくはアルケニル基、または式−（Ａ２Ｏ）ｊ−Ｊ２で表される基（なお、Ａ２は炭素数２〜４のアルキレン基、Ｊ２は水素原子または炭素数１〜１８のアルキル基、ｊは１〜１０の整数である）であり、Ｒ１０、Ｒ１１およびＲ１２は炭素数１〜４のアルキル基又は炭素数２〜４のヒドロキシアルキル基、ｆは１〜５の整数、Ｚｆ−は炭素数２以上のｆ価の有機酸のアニオンを表す。
【００１０】
（第二発明）；
界面活性剤を含有する液体漂白洗浄剤組成物であって、該界面活性剤を構成するカチオン成分が下記一般式（８）、（９）または（１０）で示されるカチオン（Ａ＋）の１種または２種以上並びに下記一般式（１１）で示されるカチオン（Ｃ＋）の１種以上からなり、アニオン成分がハロゲンアニオン（Ａ−）の１種以上並びに炭素数１以上の１〜５価の有機酸アニオン（Ｃ−）からなる群から選ばれる１種以上からなることを特徴とする液体漂白洗浄剤組成物；である。
【００１１】
【化１１】
2004149677.tif 000004
【００１２】
（８）〜（１０）式中、Ｒ１およびＲ２は炭素数が６〜１８のアルキル基、アルケニル基もしくはヒドロキシアルキル基、エステル結合もしくはアミド結合で分断された炭素数６〜２０のアルキル基もしくはアルケニル基、または式−（Ａ１Ｏ）ｋ−Ｊ１で表される基（なお、Ａ１は炭素数２〜４のアルキレン基、Ｊ１は水素原子または炭素数１〜１８のアルキル基、ｋは１〜１０の整数である）であり、Ｒ３、Ｒ４、Ｒ６およびＲ７は炭素数１〜４のアルキル基又は炭素数２〜４のヒドロキシアルキル基、Ｒ５およびＲ８は炭素数１０〜１８のアルキル基を表す。
【００１３】
【化１２】
2004149677.tif 000005
【００１４】
（１１）式中、Ｒ９は炭素数６〜１８のアルキル基、アルケニル基もしくはヒドロキシアルキル基、炭素数７〜１８のアリールアルキル基、エステル結合もしくはアミド結合で分断された炭素数６〜２０のアルキル基もしくはアルケニル基、または式−（Ａ２Ｏ）ｊ−Ｊ２で表される基（なお、Ａ２は炭素数２〜４のアルキレン基、Ｊ２は水素原子または炭素数１〜１８のアルキル基、ｊは１〜１０の整数を表す）であり、Ｒ１０、Ｒ１１およびＲ１２は炭素数１〜４のアルキル基又は炭素数２〜４のヒドロキシアルキル基を表す。
【００１５】
【発明の実施の形態】
本発明において界面活性剤（Ａ）としては、上記式（１）、（２）または（３）で表される化合物が挙げられ、これら化合物の１種または２種以上の混合物が使用できる。
これらの界面活性剤（Ａ）は漂白効果を有する界面活性剤である。
【００１６】
（１）〜（３）式中、Ｒ１およびＲ２としては以下の基が含まれる。
炭素数が６〜１８のアルキル基；
直鎖もしくは分岐のアルキル基またはシクロアルキル基、例えばｎ−およびｉ−ヘキシル基、ｎ−およびｉ−オクチル基、２−エチルヘキシル基、ｎ−およびｉ−ノニル基、ｎ−およびｉ−デシル基、ｎ−およびｉ−ウンデシル基、ｎ−およびｉ−ドデシル基、ラウリル基、ｎ−およびｉ−テトラデシル基、ｎ−およびｉ−ヘキサデシル基、並びにｎ−およびｉ−オクタデシル基等が挙げられ、これらのうちで好ましいのは炭素数８〜１２、さらに好ましいのは９〜１２のアルキル基である。
【００１７】
炭素数６〜１８のアルケニル基；
直鎖もしくは分岐のアルケニル基、例えばオクテニル基、デセニル基、ドデセニル基、トリデセニル基、テトラデセニル基、ペンタデセニル基、ヘキサデセニル基、オクタデセニル基およびオレイル基などが挙げられ、これらのうちで好ましいのはデセニル基である。
【００１８】
炭素数６〜１８のヒドロキシアルキル基；
２−ヒドロキシヘキシル基、ω−ヒドロキシオクチル基、２−ヒドロキシデシル基、ω−ヒドロキシドデシル基およびジヒドロキシステアリル基などが挙げられ、これらの内で好ましいのは２−ヒドロキシデシル基である。
【００１９】
エステル結合もしくはアミド結合で分断された炭素数６〜２０のアルキル基またはアルケニル基；
本発明において、エステル結合で分断されたアルキル基またはアルケニル基におけるエステル結合の個数は通常１個であり、１個のエステル結合で分断されたアルキル基またはアルケニル基としては、炭素数５〜１８の飽和もしくは不飽和脂肪酸と炭素数２〜４のヒドロキシアルキル基から誘導される基、例えばアシロキシアルキル基［ラウロイロキシエチル基、ラウロイロキシプロピル基、ステアロイロキシエチル基、ステアロイロキシプロピル基等］およびアシロキシアルケニル基［オレオイロキシエチル基、オレオイロキシプロピル基等］、並びに炭素数５〜１８のアルキルもしくはアルケニル基を有するアルコールと炭素数２〜４のカルボキシアルキル基から誘導される基、例えばアルコキシカルボニルアルキル基［ラウロキシカルボニルエチル基、ステアロキシカルボニルエチル基など］が挙げられる。本発明において、アミド結合で分断されたアルキル基もしくはアルケニル基におけるアミド結合の個数は通常１個であり、１個のアミド結合で分断されたアルキル基またはアルケニル基としては、炭素数５〜１８の飽和もしくは不飽和脂肪酸と炭素数２〜４のアミノアルキル基から誘導される基、例えばアシルアミノアルキル基［ラウラミドエチル基、ラウラミドプロピル基、ステアラミドエチル基等］、並びに炭素数５〜１８のアルキル基もしくはアルケニル基を有するアミンと炭素数２〜４のカルボキシアルキル基から誘導される基、例えばアルキルアミノカルボニルアルキル基［ラウリルアミノカルボニルエチル基、ステアリルアミノカルボニルエチル基、オレイルアミノカルボニルエチル基など］が挙げられる。
【００２０】
式−（Ａ１Ｏ）ｋ−Ｊ１で表される基；
Ａ１は炭素数２〜４のアルキレン基であり、例えば、エチレン基、１，２−プロピレン基、１，３−プロピレン基、１，２−ブチレン基、１，４−ブチレン基など、Ｊ１は水素原子または炭素数１〜１８のアルキル基であり、例えばメチル基、エチル基、ｎ−およびｉ−プロピル基、ｎ−、ｉ−およびｓｅｃ−ブチル基、ｎ−およびｉ−ペンチル基、並びに前述のＲ１で挙げたアルキル基が挙げられ、ｋは１〜１０、好ましくは１〜６の整数である。具体的には、アルコキシアルキル基［ラウロキシエチル基、ヘキサデシルオキシメチル基、ステアロキシエチル基など］、アルキル（炭素数４〜１８）（ポリ）オキシアルキレン基（重合度＝２〜１０）［ラウリルポリ（重合度＝６）オキシエチレン基、ミリスチルポリ（重合度＝２）オキシエチレン基など］が挙げられる。
【００２１】
これらのＲ１およびＲ２のうち好ましいのはアルキル基およびアルケニル基であり、さらに好ましいのはアルキル基である。
【００２２】
（１）〜（３）式中、Ｒ３、Ｒ４、Ｒ６およびＲ７は、炭素数１〜４のアルキル基又は炭素数２〜４のヒドロキシアルキル基であり、アルキル基としては前述のＪ１として例示した基のうちの炭素数１〜４のアルキル基、ヒドロキシアルキル基としては、２−ヒドロキシエチル基、２−ヒドロキシプロピル基、３−ヒドロキシプロピル基、２−ヒドロキシブチル基および４−ヒドロキシブチル基などが挙げられる。これらのうち好ましいのは、アルキル基、特にメチル基およびエチル基である。
【００２３】
Ｒ５およびＲ８は、炭素数１０〜１８のアルキル基であり、前述のＲ１として例示したアルキル基のうちの炭素数１０〜１８のものが挙げられる。
【００２４】
Ｒ１、Ｒ２、Ｒ３およびＲ４の炭素数の合計は好ましくは１８〜２８、より好ましくは２０〜２６、であり、Ｒ５、Ｒ６およびＲ７の炭素数の合計は好ましくは１２〜２０、より好ましくは１４〜１８である。
【００２５】
また、Ｘ−はハロゲンイオン（塩素イオン、臭素イオン、ヨウ素イオンなど）または炭素数１〜８のアルキル硫酸イオン（メチル硫酸イオンなど）であり、好ましいのは塩素イオンおよびメチル硫酸イオン、特に塩素イオンである。
【００２６】
式（１）で示される界面活性剤（Ａ１）のうち好ましい例としては、Ｒ１およびＲ２がいずれもオクチル基、デシル基またはラウリル基で、Ｒ３およびＲ４がいずれもメチル基もしくはエチル基のもの、またはＲ３がメチル基でＲ４がエチル基のものなどが挙げられ、さらに好ましい具体例としては以下のものが挙げられる。
（Ａ１−１）ジｎ−デシルジメチルアンモニウムクロライド
（Ａ１−２）ジｎ−デシルジメチルアンモニウムメトサルフェート
（Ａ１−３）ジラウリルジメチルアンモニウムクロライド
【００２７】
式（２）で示される界面活性剤（Ａ２）のうち好ましい例としては、Ｒ５がｎ−デシル基、ｉ−デシル基、ウンデシル基、ラウリル基もしくはミリスチル基で、Ｒ６およびＲ７がいずれもメチル基もしくはエチル基、またはＲ６がメチル基でＲ７がエチル基のものなどが挙げられ、さらに好ましい具体例としては以下のものが挙げられる。
（Ａ２−１）ベンジルラウリルジメチルアンモニウムクロライド
（Ａ２−２）ベンジルミリスチルジメチルアンモニウムクロライド
【００２８】
式（３）で示される界面活性剤（Ａ３）の好ましい例としてはＲ８がラウリル基、ミリスチル基、セチル基またはステアリル基等のものが挙げられ、さらに好ましい具体例としては以下に示すもの等があげられる。
（Ａ３−１）セチルピリジニウムクロライド
【００２９】
（Ａ）のうちで、漂白効果の観点から、好ましいのは（Ａ１）、（Ａ２）、（Ａ１）のうちの２種以上の併用、（Ａ２）のうちの２種以上の併用、並びに（Ａ１）のうちの１種以上と（Ａ２）のうちの１種以上の併用で、さらに好ましくは、（Ａ１）、（Ａ２）、並びに（Ａ１）のうちの１種以上と（Ａ２）のうちの１種以上の併用で、特に好ましくは（Ａ１）である。
（Ａ１）と（Ａ２）の併用の場合の重量比率は、５０／５０〜９０／１０であることが好ましい。
【００３０】
漂白剤（Ｂ）としては、酸素系漂白剤（Ｂ１）および塩素系漂白剤（Ｂ２）が挙げられる。（Ｂ１）としては、過酸化水素、水溶液中で過酸化水素を発生させる化合物（例えば過炭酸ナトリウム、過ホウ酸ナトリウムなど）および有機過酸（例えば過酢酸、過コハク酸、過フタル酸など）等、（Ｂ２）としては、次亜塩素酸塩（アルカリ金属塩：例えばナトリウム塩、カリウム塩）、亜塩素酸塩（アルカリ金属塩：例えばナトリウム塩、カリウム塩）およびトリクロルイソシアヌル酸等が挙げられ、（Ｂ）としては、これらから選ばれた１種または２種以上の化合物を使用することができる。
これらのうち好ましくは次亜塩素酸アルカリ金属塩で、特に好ましくは次亜塩素酸ナトリウムである。
【００３１】
本発明において一般式（４）で示される界面活性剤（Ｃ）としては、第４級アンモニウム・有機酸塩型界面活性剤が挙げられ、これらの１種または２種以上の混合物が使用できる。（Ｃ）は、（Ａ）および／または（Ｂ）と配合して使用することによって、特に樹脂内部への浸透性に優れており、樹脂内部のカビ除去、漂白の効果を向上させるものである。
【００３２】
（４）式中、Ｒ９は、前述の一般式（１）におけるＲ１で挙げた基と同様の基、および炭素数７〜１８のアリールアルキル基（例えば、ベンジル基、フェニルエチル基、フェニルブチル基およびフェニルオクチル基など、好ましいのはベンジル基）が例示され、Ｒ９のうち樹脂内部の漂白力の点から好ましいものは炭素数６〜１８のアルキル基およびアルケニル基でありさらに好ましいものは炭素数６〜１２のアルキル基である。
【００３３】
また、Ｒ１０、Ｒ１１及びＲ１２は、前述のＲ３で例示した基と同様の基が挙げられ、樹脂内部の漂白力の点から好ましいものは炭素数１〜４のアルキル基であり、さらに好ましくはメチル基またはエチル基である。
【００３４】
（４）式中のｆは１〜５、好ましくは１〜３の整数であり、Ｚｆ−は炭素数２以上のｆ価の有機酸アニオンである。アニオンＺｆ−を構成するｆ価の有機酸としては、下記一般式（５）または（６）で表される有機酸の他、芳香環含有有機酸、脂環基含有有機酸、ヘテロ環含有有機酸、エステル基含有有機酸、アミド基含有有機酸、水酸基含有有機酸、および有機酸基含有ビニル単量体のオリゴマー（２〜１０量体）などが挙げられる。
また、これらには、１価または２価〜５価のカルボン酸類、スルホン酸類、硫酸エステル類、リン酸エステル類およびフェノール類などが含まれる。
【００３５】
一般式（５）または（６）で表される有機酸は以下のものである。
【００３６】
【化１３】
2004149677.tif 000006
【００３７】
式（５）および（６）中、Ｒ１３及びＲ１４は炭素数１〜１８（好ましくは４〜１８、さらに好ましくは６〜１２）の脂肪族炭化水素基（アルカジエニル基も含む）、Ａ３及びＡ４は炭素数１〜４（好ましくは１〜３）のアルキレン基、Ｑは−ＣＯＯＨ、−ＳＯ３Ｈもしくは−ＯＳＯ３Ｈ、ｐ及びｒは０または１〜１０（好ましくは０〜５）の整数、ｑは１または２、ｈは１〜５の整数であり、Ｑが−ＳＯ３Ｈの場合はｐは０であり、ｐ又はｒが２以上の場合のＡ３及びＡ４は、それぞれ同じでも異なっていてもよい。
【００３８】
Ｒ１３及びＲ１４の例としては、メチル基、エチル基、プロピル基、前記の炭素数４〜１８アルキル基およびアルケニル基と同様の基、並びにアルカジエニル基（例えばリノレイル基など）が挙げられる。
【００３９】
Ａ３及びＡ４としては、メチレン基および前述のＡ１と同様の基が挙げられる。
【００４０】
式（５）で表される有機酸のうち、好ましいものは、Ｑが−ＣＯＯＨでｐが０の化合物（炭素数８〜１８の高級脂肪酸、たとえばオクタン酸、２−エチルヘキサン酸、ノナン酸、ドデカン酸、テトラデカン酸、ステアリン酸およびオレイン酸等）、Ｑが−ＣＯＯＨでｐが１以上でかつＱと結合するＡ３がメチレン基で残りの（ｐ−１）個のＡ３が炭素数２〜３のアルキレン基の化合物（アルキルもしくはアルケニルエーテルカルボン酸、たとえばポリオキシエチレンオクチルエーテルカルボキシメチルエーテルなど）、Ｑが−ＯＳＯ３Ｈでｐが０〜５でＡ３が炭素数２〜３のアルキレン基の化合物（アルキルもしくはアルケニル硫酸エステル、たとえばオクチル硫酸エステル、２−エチルヘキシル硫酸エステル、デシル硫酸エステル、ドデシル硫酸エステル、テトラデシル硫酸エステル、ステアリル硫酸エステルおよびオレイル硫酸エステル等；並びに（ポリ）オキシアルキレンアルキルもしくはアルケニルエーテル硫酸エステル、たとえばポリオキシエチレンオクチルエーテル硫酸エステル等）である。
【００４１】
式（６）で表される有機酸のうち、好ましいものは、Ａ４が炭素数２もしくは３のアルキレン基、ｒが０〜５の整数、ｑが１で表されるものである。ｑが１の場合、（Ｃ）はモノ４級アンモニウム塩でもジ４級アンモニウム塩でもよい。具体例としては、アルキルもしくはアルケニル燐酸エステル、たとえばオクチル燐酸エステル、２−エチルヘキシル燐酸エステル、デシル燐酸エステル、ドデシル燐酸エステル、ステアリル燐酸エステルおよびオレイル燐酸エステル等；並びに（ポリ）オキシアルキレンアルキルもしくはアルケニルエーテル燐酸エステル、たとえばポリオキシエチレンオクチルエーテル燐酸エステル等が挙げられる。
【００４２】
有機酸のうち、芳香環含有有機酸としては、芳香族カルボン酸（安息香酸、エチル安息香酸、桂皮酸およびｔ−ブチル安息香酸などのｏ，ｐ，ｍ−各異性体を含む芳香族モノカルボン酸、フタル酸、イソフタル酸、テレフタル酸、トリメリット酸およびピロメリット酸などの芳香族多価カルボン酸）、芳香族スルホン酸（ｐ−トルエンスルホン酸およびドデシルベンゼンスルホン酸などの炭素数１〜１８のアルキル基を有するアルキルベンゼンスルホン酸、ナフタレンスルホン酸およびｐ−フェノールスルホン酸など）およびフェノール類（フェノール、ｐ−クロロフェノール、β−ナフトール、ｏ−およびｐ−ニトロフェノール、ｐ−アミノフェノール、カテコールおよびレゾルシンなど）が挙げられる。
脂環基含有有機酸としては、シクロヘキサンモノおよびジカルボン酸、シクロペンタンカルボン酸などが挙げられる。
エステル基含有有機酸としては、ジカルボン酸のモノアルキル（アルキル基の炭素数１〜８）エステル（シュウ酸モノメチルエステル、コハク酸モノエチルエステル、マレイン酸モノメチルエステル、アジピン酸モノメチルエステルおよびフタル酸モノメチルエステルなど）、トリカルボン酸のモノもしくはジアルキル（炭素数１〜６）エステル（トリメリット酸モノメチルエステルおよびトリメリット酸モノブチルエステルなど）、およびスルホコハク酸モノもしくはジアルキル（アルキル基の炭素数１〜２４）エステル（スルホコハク酸ジ２−エチルヘキシルエステルなど）が挙げられる。
【００４３】
アミド基含有有機酸としては、ジカルボン酸のモノアルキル（アルキル基の炭素数１〜８）アミド（コハク酸モノエチルアミド、マレイン酸モノメチルアミド、アジピン酸モノメチルアミドおよびフタル酸モノメチルアミドなど）、トリカルボン酸のモノもしくはジアルキル（炭素数１〜６）アミド（トリメリット酸モノメチルアミドおよびトリメリット酸モノブチルアミドなど）、高級脂肪酸とアミノ酸の縮合物（オレイルザルコシンなど）、高級脂肪酸アミドのアルキル化スルホン酸（ラウリン酸メチルタウライドおよびオレイン酸Ｎ−メチルタウライドなど）および高級脂肪酸アミドのアルキロール化硫酸エステル（ラウリルエタノールアミド硫酸エステルなど）が挙げられる。
水酸基含有有機酸としては、ヒドロキシカルボン酸（乳酸、クエン酸、リンゴ酸、グルタル酸およびｐ−ヒドロキシ安息香酸など）が挙げられる。
有機酸基含有ビニル単量体のオリゴマー（２〜１０量体）を構成する単量体としては、（メタ）アクリル酸およびマレイン酸などのカルボキシル基含有ビニル単量体、ビニルスルホン酸、スチレンスルホン酸、（メタ）アリルスルホン酸およびアルキル（炭素数１〜１８）アリルスルホコハク酸エステルなどのスルホン酸基含有ビニル単量体などが挙げられる。
これらの有機酸の当量（酸基当たりの分子量）は、好ましくは５８〜６００、特に５８〜３００である。
【００４４】
これらの  有機酸のうち、樹脂内部への漂白力などの点で好ましいものは式（５）または（６）で表されるものであり、さらに好ましいのは炭素数６〜１８のアルキルまたはアルケニル基を有するカルボン酸またはリン酸である。
【００４５】
なお、ｆ価の有機酸アニオンには、ｆ価の有機酸のｆ価のアニオン、およびｆ価より高い［（ｆ＋α）価の］有機酸のｆ価のアニオン（部分塩）が含まれる。例えば、有機酸が２塩基酸の場合、（Ｂ）にはモノ塩およびジ塩が含まれる。
【００４６】
式（４）で示される第４級アンモニウム・有機酸塩型界面活性剤（Ｃ）の例としては、Ｒ９がｎ−オクチル基、２−エチルヘキシル基、デシル基、ラウリル基、ミリスチル基、セチル基、ステアリル基、オレイル基、オレアミドエチル基もしくはステアラミドエチル基で、Ｒ１０、Ｒ１１、Ｒ１２がいずれもメチル基、ヒドロキシエチル基、ｎ−ブチルもしくはポリオキシエチレン基、またはＲ１０、Ｒ１１、Ｒ１２のうちの２つがメチル基で１つがエチル基、２つがメチル基で１つがプロピル基、２つがエチル基で１つがメチル基、２つがメチル基で１つがヒドロキシエチル基であり、Ｚｆ−が炭素数６〜１８のアルキルまたはアルケニル基を有するカルボン酸またはリン酸のもの、並びに米国特許第４，３３１，４４７号およびフランス特許第１，４２７，１３３号明細書に記載の第４級アンモニウムとの有機酸塩が挙げられる。
【００４７】
（Ｃ）は、通常、３級アミンを４級化剤と反応させて４級アンモニウム塩とし、有機酸とアニオン交換することにより製造することができる。４級化剤としては、ジアルキルカーボネート（アルキル基は炭素数１〜４、たとえばメチル基、エチル基など）、ハロゲン化アルキルもしくはハロゲン化アルケニル等の前記Ｒ１０〜Ｒ１２で表される基のハロゲン化物（ハロゲンとしては、塩素、臭素、ヨウ素もしくはフッ素）、ジアルキル硫酸（アルキル基は炭素数１〜４、たとえばメチル基、エチル基など）が挙げられる。
【００４８】
Ｒ１０〜Ｒ１２が低級アルキル基の場合は、以下の合成方法に従い製造することができる。有機溶媒（メタノール、エタノールなど）中、３級アミン（たとえば、ジメチルオクチルアミンなど）とジアルキルカーボネート（ジメチルカーボネートなど；３級アミンに対して通常１．０５〜２当量）をオートクレーブ中にて加圧下、加熱（１１０〜１２０℃）して２〜３時間反応させることにより、４級アンモニウムカーボネートの有機溶媒溶液を得る。これに前記式（５）または（６）で表される有機酸（オクタン酸、オクチル硫酸エステル、モノオクチルリン酸エステルなど；４級アンモニウム塩に対して通常０．９〜１．２当量、好ましくは０．９９〜１．０２当量）を３０〜６０℃で徐々に滴下して加え、その後、加熱下（４０〜１００℃）で二酸化炭素、有機溶媒および未反応のジアルキルカーボネートを留去しながらアニオン交換反応を行い、水で希釈することで、目的物（例えばオクチルトリメチルアンモニウム・オクタン酸塩、オクチルトリメチルアンモニウム・オクチル硫酸エステル塩など）の水性液を得る。
【００４９】
本発明における有機溶媒（Ｄ）の溶解度パラメーター（以下、ＳＰ値と略記）は、樹脂部分への浸透性向上の観点から通常、７．５〜１１、好ましくは７．８〜１０．５、さらに好ましくは８〜１０である。尚、本発明におけるＳＰ値は、Ｆｅｄｏｒｓ法［Ｐｏｙｍ．Ｅｎｇ．Ｓｃｉ．１４（２）１４７−１５４，（１９７４）］における下記式（１３）によって算出される値である。
一般式      δ＝（ΔＨ／Ｖ）１／２                （１３）
｛式中、δは溶解度パラメーター、ΔＨはモル蒸発熱（ｃａｌ）、Ｖはモル体積（ｃｍ３）である。｝
（Ｄ）の常圧における沸点は、安全性および浸透性の観点から、通常１２０〜３００℃、好ましくは１３０〜２５０℃、さらに好ましくは１５０〜２２０℃である。また、２５℃における（Ｄ）の粘度は、浸透性の観点から、通常５０ｍＰａ・ｓ以下、好ましくは１〜３０ｍＰａ・ｓ、さらに好ましくは１〜２０ｍＰａ・ｓである。
【００５０】
（Ｄ）としては、上記のＳＰ値、沸点および粘度の範囲に入るものであれば特に限定されないが、（Ｄ）の例としては、グリコール系溶媒、例えばアルキレン基の炭素数２〜６、アルキレン基の重合度１〜１０およびアルキル基の炭素数１〜１８のグリコールエーテル系溶媒［（ポリ）アルキレングリコールモノアルキルエーテルおよび（ポリ）アルキレングリコールジアルキルエーテル］、アルキレン基の炭素数２〜６、アルキレン基の重合度１〜１０およびアシル基の総炭素数１〜４のグリコールエステル系溶媒［（ポリ）アルキレングリコールモノアセテートなど］、並びにアルキレン基の炭素数２〜６、アルキレン基の重合度１〜１０およびアルキル基の炭素数１〜１８のエーテル基と総炭素数１〜４のアシル基を有するグリコールエーテルエステル系溶媒［（ポリ）アルキレングリコールモノアルキルエーテルモノアセテートなど］が挙げられ、その他には、炭素数９〜１４のテルペン系溶媒（Ｄ−リモネンおよびターピネオールなど）、炭素数６〜１０の脂肪族アルコール溶媒（ｎ−ヘキサノール、ｎ−オクタノールおよび２−エチルヘキサノールなど）、および総炭素数５〜８のケトン系溶媒（メチルブチルケトン、エチルブチルケトンおよびシクロヘキサノンなど）等があげられる。
これらのうち好ましいのは、樹脂への浸透性の観点からグリコール系溶媒であり、さらに好ましいのは下記一般式（７）で示される化合物である。
Ｒ１５Ｏ（ＣｎＨ２ｎＯ）ｍＲ１６                            （７）
式中、Ｒ１５は炭素数１〜１８のアルキル基、炭素数２〜１８のアルケニル基、炭素数７〜２４のアルキルフェニル基またはフェニル基、Ｒ１６は水素原子または炭素数１〜４のアルキル基もしくは総炭素数１〜４のアシル基、ｍは１〜１０の整数、ｎは２〜４の整数である。
【００５１】
（７）式におけるＣｎＨ２ｎＯは、オキシエチレン、オキシプロピレン、オキシブチレンを表し、式中のｍが２以上の場合は、単独、ランダムまたはブロックのいずれでもよい。
【００５２】
Ｒ１５のうち、アルキル基またはアルケニル基としては、前述のＲ９およびＲ１０で例示した基、アルキルフェニル基としては、オクチルフェニル基およびノニルフェニル基などが挙げられる。Ｒ１６としては前述のＲ３で例示した炭素数１〜４のアルキル基、並びにホルミル基、アセチル基、プロピオニル基、ブチリル基およびイソブチリル基が挙げられる。
【００５３】
一般式（７）で示されるグリコール系溶媒の具体例としては、グリコールエーテル系溶媒［モノアルキルエーテル｛ジエチレングリコールモノメチルエーテル、ジエチレングリコールモノエチルエーテル、ジエチレングリコールモノブチルエーテル、ジエチレングリコールモノｎ−ヘキシルエーテルおよびジエチレングリコールモノ２−エチルヘキシルエーテル（以下、２−ＨＣＥと略記）など｝、ジアルキルエーテル｛エチレングリコールジメチルエーテル、ジエチレングリコールジメチルエーテル、トリエチレングリコールジメチルエーテル、ジエチレングリコールジエチルエーテル（以下、ＤＥＤＥと略記）、ジエチレングリコールジｎ−ブチルエーテル、ジエチレングリコールイソプロピルメチルエーテル（以下、ＤＥＩＭと略記）、ジエチレングリコールｎ−ブチルメチルエーテル、ジプロピレングリコールジメチルエーテル、トリプロピレングリコールジメチルエーテル、ジプロピレングリコールｎ−プロピルメチルエーテルおよびジプロピレングリコールｎ−ブチルメチルエーテルなど｝、並びにアルキルフェニルアルキルエーテル｛ジエチレングリコールｎ−オクチルフェニルメチルエーテルおよびジエチレングリコールノニルフェニルメチルエーテルなど｝が挙げられる。
【００５４】
本発明の液体漂白洗浄剤組成物は、（Ａ）＋（Ｃ）、（Ａ）＋（Ｄ）、（Ａ）＋（Ｃ）＋（Ｄ）、（Ａ）＋（Ｂ）＋（Ｃ）、（Ａ）＋（Ｂ）＋（Ｄ）、（Ａ）＋（Ｂ）＋（Ｃ）＋（Ｄ）、（Ｂ）＋（Ｃ）、（Ｂ）＋（Ｄ）、および（Ｂ）＋（Ｃ）＋（Ｄ）を含む組み合わせがあるが、これらのうち好ましいのは、樹脂部分への漂白効果および起泡性の観点から、（Ａ）＋（Ｃ）、（Ａ）＋（Ｄ）、（Ａ）＋（Ｃ）＋（Ｄ）、（Ｂ）＋（Ｃ）、（Ｂ）＋（Ｄ）および（Ｂ）＋（Ｃ）＋（Ｄ）であり、さらに好ましいのは（Ａ）＋（Ｃ）、（Ａ）＋（Ｃ）＋（Ｄ）、（Ｂ）＋（Ｃ）、および（Ｂ）＋（Ｃ）＋（Ｄ）である。
【００５５】
本発明の組成物中の各成分の含量は、組成物の重量に基づいて、
（Ａ）は、好ましくは０．０５〜５％、さらに好ましくは０．１〜３％である。０．０５％以上であれば漂白力の観点から好ましく、５％以下であれば経済性および配合安定性（均一溶解のし易さ）の観点から好ましい。
組成物の重量に基づく（Ｂ）の含量は、好ましくは０．１〜５％、さらに好ましくは０．３〜３％である。経済性および配合安定性の観点から５％以下であることが好ましい。
組成物の重量に基づく（Ｃ）の含量は、好ましくは０．１〜５％、さらに好ましくは０．３〜３％である。経済性および配合安定性の観点から５％以下であることが好ましい。
組成物の重量に基づく（Ｄ）の含量は、好ましくは０〜１０％、さらに好ましくは０．５〜５％である。配合安定性の観点から１０％以下であることが好ましい。
（Ａ）および（Ｂ）の合計は漂白力の点から好ましくは０．１５〜１０％、さらに好ましくは０．５〜５％である。配合安定性の観点から１０％以下であることが好ましい。
（Ｃ）および（Ｄ）の合計は漂白力の点から好ましくは０．１〜１０％、さらに好ましくは０．５〜５％である。配合安定性の観点から１０％以下であることが好ましい。
【００５６】
また、本発明の組成物において、（Ａ）／（Ｃ）／（Ｄ）の重量割合は、好ましくは１０〜９８／１〜６０／０〜８０、さらに好ましくは１０〜９０／５〜６０／５〜８０である。この範囲の重量割合であると配合安定性においてさらに良好になる。
また、（Ｂ）／（Ｃ）／（Ｄ）の重量割合は、好ましくは０．１〜６０／１０〜９９．９／０〜８０、さらに好ましくは５〜６０／１０〜９０／５〜８０である。
この範囲の重量割合であると配合安定性においてさらに良好になる。
【００５７】
本発明における液体漂白洗浄剤組成物の他の実施態様においては、該組成物が界面活性剤を有し、該界面活性剤を構成するカチオン成分が前記一般式（８）、（９）または（１０）で示されるカチオン（Ａ＋）の１種または２種以上並びに前記一般式（１１）で示されるカチオン（Ｃ＋）の１種以上からなり、アニオン成分がハロゲンアニオン（Ａ−）の１種以上並びに炭素数１以上（好ましくは１〜８）の１〜５価の有機酸アニオン（Ｃ−）からなる群から選ばれる１種以上からなることを特徴とする液体漂白洗浄剤組成物である。
【００５８】
これらの式（８）〜（１１）におけるＲ１〜Ｒ１２は、前記式（１）〜（４）におけるものと同様のものが例示され、好ましいものも同様である。また、有機酸アニオン（Ｃ−）は、メチル硫酸およびエチル硫酸などの他に、前記式（４）におけるアニオンＺｆ−を構成するｆ価の有機酸として挙げられたものと同様のものが挙げられ、好ましいものも同様である。
【００５９】
カチオン（Ａ＋）およびアニオン（Ａ−）の合計と、カチオン（Ｃ＋）およびアニオン（Ｃ−）の合計の重量割合は、好ましくは１０〜９８／２〜９０、さらに好ましくは２０〜９０／１０〜８０である。
【００６０】
本発明の漂白洗浄剤組成物には、さらに漂白力を高めるために、必要により、下記一般式（１２）で示されるアミンオキサイド（Ｅ）を含有してもよい。
【００６１】
【化１４】
2004149677.tif 000007
【００６２】
式中、Ｒ１７は炭素数６〜２０のアルキル基またはアルケニル基、Ｒ１８およびＲ１９は炭素数１〜３のアルキル基である。
【００６３】
式（１２）において、Ｒ１７の炭素数６〜２０のアルキル基またはアルケニル基としては、前述のＲ９で例示した基およびエイコシル基などが挙げられる。これらのうち好ましいものは、炭素数８〜１６の分岐または直鎖のアルキル基であるが、天然物（ヤシ油など）から誘導された炭素数の異なるアルキル基の混合物でもかまわない。Ｒ１８およびＲ１９の炭素数１〜３のアルキル基としては、前述のＪ１で例示した基のうち炭素数１〜３のアルキル基が挙げられ、好ましくはメチル基である。一般式（１２）で示される具体的な化合物としては、ラウリルジメチルアミンオキサイド、ミリスチルジメチルアミンオキサイドおよびヤシジメチルアミンオキサイドがあげられる。
【００６４】
本発明の漂白洗浄剤組成物には、さらに漂白力を高めるために、必要により、他の界面活性剤（Ｆ）の１種または２種以上を含有してもよい。
【００６５】
他の界面活性剤（Ｆ）としては以下のものが挙げられる。
【００６６】
（Ｆ１）ノニオン性界面活性剤［脂肪族アルコール（炭素数８〜２４）ＡＯ（炭素数２〜８）付加物、多価（２価〜１０価またはそれ以上）アルコール脂肪酸（炭素数８〜２４）エステル、脂肪酸（炭素数８〜２４）アルカノールアミド、（ポリ）オキシアルキレン（炭素数２〜８）アルキル（炭素数１〜２２）フェニルエーテル、（ポリ）オキシアルキレン（炭素数２〜８）アルキル（炭素数８〜２４）アミン、並びにアルキル（炭素数８〜２４）ジアルキル（炭素数１〜６）アミンオキシド］；
【００６７】
（Ｆ２）アニオン性界面活性剤［炭素数８〜２４の炭化水素基を有する、エーテルカルボン酸またはその塩、硫酸エステルもしくはエーテル硫酸エステルおよびそれらの塩、スルホン酸塩、スルホコハク酸塩、リン酸エステルもしくはエーテルリン酸エステルおよびそれらの塩、脂肪酸塩、並びにアシル化アミノ酸塩など］。
より具体的には、例えば、下記一般式（１３）、（１４）または（１５）で示されるアニオン性界面活性剤の１種または２種以上の組み合わせを挙げることができる。特に、本発明の組成物が、（Ａ）を含まず、（Ｂ）＋（Ｃ）、（Ｂ）＋（Ｄ）、または（Ｂ）＋（Ｃ）＋（Ｄ）の場合には、下記一般式（１３）、（１４）または（１５）で示されるアニオン性界面活性剤の１種または２種以上を含むことが好ましい。
【００６８】
【化１５】
2004149677.tif 000008
【００６９】
式中Ｒ２０およびＲ２１は炭素数１〜１４のアルキル基であり、Ｒ２０とＲ２１のアルキル基の合計炭素数が８〜１６；Ｍ１はアルカリ金属、Ｒ２２は炭素数６〜２０の分岐または直鎖のアルキル基；Ｍ２はアルカリ金属；ｔは０または１〜２０の整数、Ｒ２３およびＲ２４は炭素数６〜１６のアルキル基；Ｍ３およびＭ４はアルカリ金属；ｍ、ｎ、ｘおよびｙは各々０または１〜５の整数（但し、ｍとｎ、ｘとｙは同時に０になることはない）である。
【００７０】
式（１３）〜（１５）において、Ｒ２０およびＲ２１は前述のＲ１で例示した基のうち炭素数１〜１４のアルキル基が挙げられる。Ｒ２３およびＲ２４は前述のＲ１で例示した基のうち炭素数６〜１６のアルキル基が挙げられ、好ましくはノニル基、ラウリル基またはミリスチル基である。Ｍ１〜Ｍ４はアルカリ金属で、好ましくはナトリウムまたはカリウムである。
式（１３）〜（１５）で示される化合物のうち好ましいのは式（１３）、（１３）のうちの２種以上、並びに（１３）の１種以上と（１４）の１種以上の併用である。
（１３）と（１４）の併用の重量比率は９５／５〜５０／５０であることが好ましい。
【００７１】
（Ｆ３）カチオン性界面活性剤［（Ａ）および（Ｃ）以外の第４級アンモニウム塩型カチオン性界面活性剤およびアミン塩型カチオン性界面活性剤］、（Ｆ４）両性界面活性剤［ベタイン型両性界面活性剤およびアミノ酸型両性界面活性剤］、並びに（Ｆ５）高分子型界面活性剤［ポリビニルアルコール、デンプンおよびその誘導体、カルボキシメチルセルロース、メチルセルロース、ヒドロキシエチルセルロースなどのセルロース誘導体、ポリアクリル酸ソーダなどのカルボキシル基含有（共）重合体でＭｎ＝１，０００〜５０，０００のもの、特開平１１−１９３３０５号公報記載のもの、並びに特開平７−１３３４２３号公報および特開平８−１２００４１号公報に記載のウレタン結合もしくはエステル結合を有する高分子型分散剤など］が挙げられる。
【００７２】
これらの界面活性剤のうちで、本発明の組成物が（Ａ）を含む場合に好ましいものは、ノニオン性界面活性剤および両性界面活性剤であり、さらに好ましいものはノニオン性界面活性剤である。
【００７３】
本発明の漂白洗浄剤組成物には、さらに漂白力を高めるために、必要により、アルカリ性を呈する無機化合物および／または有機弱酸塩（Ｇ）の１種または２種以上を含有してもよい。
（Ｇ）としては、２５℃で、その１．０重量％水溶液のｐＨが９以上である化合物が挙げられる。（Ｇ）としては、例えば、アルカリ金属（Ｎａ、Ｋ、Ｌｉなど）の水酸化物（ＮａＯＨ、ＫＯＨ、ＬｉＯＨなど）並びにアルカリ金属の塩が挙げられ、塩としては、炭酸塩（Ｎａ２ＣＯ３、Ｋ２ＣＯ３、ＫＨＣＯ３、ＬｉＣＯ３など）、リン酸塩（Ｎａ２ＨＰＯ４、Ｋ２ＨＰＯ４、トリポリリン酸ナトリウム、ヘキサメタリン酸ナトリウムなど）、ケイ酸塩（Ｎａ２ＳｉＯ３など）、有機弱酸塩（炭素数２〜８の脂肪族カルボン酸のアルカリ金属塩：例えばクエン酸ナトリウム、酢酸ナトリウム、シュウ酸ナトリウム、コハク酸ナトリウムなど）およびこれらの二種類以上の混合物があげられる。これらのうち好ましいものはアルカリ金属の水酸化物であり、特に好ましいものは水酸化ナトリウムおよび水酸化カリウムである。
【００７４】
本発明の液体漂白洗浄剤組成物において、（Ａ）〜（Ｇ）以外の成分は、水のみ、または水と（Ｄ）以外の親水性有機溶媒の混合溶媒であり、好ましいのは水のみの場合である。
混合溶媒の場合の、（Ｄ）以外の親水性有機溶媒としては、炭素数１〜４の低級アルコ−ル（メタノール、エタノール、ｎ−およびｉｓｏ−プロパノール、ｎ−、ｉｓｏ−、ｓｅｃ−およびｔ−ブタノール）、総炭素数３〜６の脂肪族カルボン酸アルキルエステル（酢酸メチル、酢酸エチルなど）および総炭素数３〜４のケトン類（アセトン、メチルエチルケトンなど）が挙げられ、水と親水性有機溶媒の重量比率は好ましくは７０／３０〜９９．９／０．１である。
【００７５】
また、必要により添加される（Ｅ）、（Ｆ）および（Ｇ）の各成分の含量は、組成物の重量に基づいて（Ｅ）は通常０〜７％、好ましくは０．１〜５％である。（Ｆ）は通常０〜５％で好ましくは０．１〜３％である。（Ｇ）は通常０〜１０％、好ましくは０．５〜５％である。
【００７６】
本発明の組成物の有効成分濃度［組成物の全重量に対する、（Ａ）〜（Ｇ）の合計の重量割合］は好ましくは０．１５〜６０％、さらに好ましくは０．９〜２０％である。この範囲であれば、漂白力および保存安定性の点で好ましい。
【００７７】
本発明の組成物には上記成分のほか、さらに本発明の効果を妨げない量の香料（例えば、メチルイオノン、ヘキシルシンナミックアルデヒド、リナロールなど）、着色料（例えば、フタロシアニン系顔料、アゾ系顔料、ウルトラマリンブルーなど）、キレート剤（例えば、ポリアクリル酸塩、エチレンジアミン四酢酸塩、ヒドロキシイミノ二酢酸塩、アスパラギン酸二酢酸塩など）、可溶化剤（例えば、ｐ−トルエンスルホン酸塩、ｍ−キシレンスルホン酸塩など）および（Ｆ）以外のアルカリ性を呈する化合物［例えばアミン類：一級、二級および三級の脂肪族アミン（炭素数１〜２０のアルキル基およびこれらのアルキル基とヒドロキシル基を有するアミン：ジエチルアミン、トリエチルアミン、モノエタノールアミン、モノプロパノールアミンなど）、脂環族アミン（シクロヘキシルアミン、ジシクロヘキシルアミンなど）、芳香族アミン（ピリジン、キノリンなど）およびこれらの一級もしくは二級アミンのＡＯ付加物（モルホリンのＥＯ１モル付加物など）］の成分を、組成物の重量に基づいて、それぞれ０〜５％配合することができる。
【００７８】
本発明の組成物は、各成分を、水または前述の混合溶媒と配合することによって製造することができる。
配合の順序は特に限定されないが、水または前述の混合溶媒の中に各成分を配合する方法が溶解しやすいので好ましい。また、常温で配合できるが、溶解しにくい場合は４０℃まで加熱して溶解・配合してもよい。
【００７９】
本発明の組成物は、浴室、台所、洗面所およびトイレ等の床、壁、排水パイプなどに付着した汚れに対して直接塗布するかあるいは、スプレーにより泡状にして吹き付けるなどの方法により使用することができる。
【００８０】
【実施例】
以下に実施例および比較例をあげ本発明を説明するが、本発明はこれに限定されるものではない。
【００８１】
製造例１
温度計、加熱冷却装置、撹拌機、滴下ロートおよびストリッピング装置を備えたステンレス製耐圧容器にメタノール１９１部とジメチルカーボネート３５０部を仕込み、窒素置換後密閉し、１２０℃に昇温した。撹拌下、ジメチルオクチルアミン４７０部を滴下し、１２０℃で３時間撹拌し、オクチルトリメチルアンモニウム・メチルカーボネート塩のメタノール溶液（逆エプトン法によるカチオン含量：７０％）を得た。次に４０℃に冷却した後、オクタン酸４３１部を発泡に注意しながら徐々に滴下した。その後、徐々に昇温してメタノールおよびジメチルカーボネートを常圧下１００℃になるまで留去しながらアニオン交換反応して、固体状のオクチルトリメチルアンモニウム・オクタン酸塩（Ｃ１）を得た。
【００８２】
製造例２
製造例１と同様にして得られたオクチルトリメチルアンモニウム・メチルカーボネート塩のメタノール溶液９１９部にモノオクチルリン酸６２８部を４０℃で発泡に注意しながら徐々に滴下した。その後、徐々に昇温してメタノールおよびジメチルカーボネートを常圧下１００℃になるまで留去しながらアニオン交換して、固体状のオクチルトリメチルアンモニウム・オクチルリン酸塩（Ｃ２）を得た。
【００８３】
実施例１〜１０、比較例１〜５
（Ａ）として前述の（Ａ１−１）、（Ａ２−１）および（Ａ３−１）、
（Ｂ）として次亜塩素酸ナトリウム（ＳＨＣと略記）、
（Ｃ）として上記（Ｃ１）および（Ｃ２）、
（Ｄ）として下記表１記載の（Ｄ１）〜（Ｄ３）、
（Ｅ）としてヤシジメチルアミンオキサイド（ＤＡＯと略記）、
（Ｆ２）として下記表２記載の（Ｆ２−１）〜（Ｆ２−３）、
（Ｇ）として水酸化ナトリウム（ＮａＯＨ）、
セチルトリメチルアンモニウムクロライド（ＣＴＭと略記）、
ドデシル硫酸エステルナトリウム（ＳＤＳと略記）、
および水を使用して、表３〜表５に記載の部数を配合して実施例並びに比較例の液体漂白洗浄剤組成物を作製した。
【００８４】
これらの組成物の起泡性、保存安定性および漂白力を次の測定条件で試験した結果を表３〜表５に示す。
【００８５】
＜測定条件＞
起泡性：垂直に設置したガラス板から３０ｃｍ離れた位置からスプレー式霧吹き器にて試験液を吹き付け起泡性を観察した。表３〜表５の記号は以下の評価基準を示す。
◎；極めて良好
○；良好
△；やや不良
×；不良
××；極めて不良
保存安定性：組成物を４０℃で２週間静置した後、有効塩素含量を測定し、配合直後の有効塩素含量に対する百分率で表す。有効塩素含量は、漂白剤組成物にヨウ素カリウムと酢酸を反応させてチオ硫酸ナトリウムで滴定する方法（ＪＩＳＬ  ０８４４−１９８６  有効塩素測定方法）で測定した。
漂白力：縦４０ｍｍ×横４０ｍｍ×厚さ５ｍｍのシリコーン樹脂板に黒カビを塗布し、３０℃で２週間培養し、試験板とした。これに漂白剤組成物０．５ｇを滴下し、１０分間放置し、水洗、風乾した後、多光源測色計（スガ試験機製）を使用してＬ値を測定し、以下の式にて漂白力を求めた。
漂白力（％）＝｛（ＲＷ−ＲＳ）／（ＲＩ−ＲＳ）｝×１００
なお、ＲＩは清浄試験板のＬ値、ＲＷは漂白後のＬ値、ＲＳは漂白前の試験板の反射率を示す。
【００８６】
【表１】
2004149677.tif 000009
【００８７】
【表２】
2004149677.tif 000010
【００８８】
【表３】
2004149677.tif 000011
【００８９】
【表４】
2004149677.tif 000012
【００９０】
【表５】
2004149677.tif 000013
【００９１】
表３〜表５の結果から本発明の組成物は起泡性、保存安定性および漂白力がともに良好であることがわかる。
【００９２】
また、実施例１〜２０の組成物を浴室壁面のカビ汚れに直接塗布し、１０分間放置した後、水で洗い流した。その結果、本発明の組成物は起泡性、カビ汚れの除去効果とも良好であった。また水の流れが悪い排水口に、上記組成物を流し込み、２０分間放置した後、水を流したところ、水の流れは良好になった。
【００９３】
【発明の効果】
本発明の組成物は次のような効果を奏する。すなわち、起泡性が良いため噴射時の洗浄液の飛散が少なく呼吸による人体への吸入量が少ない。また、比較的次亜塩素酸アルカリ金属塩の安定性を損なわないため、長期の貯蔵も可能である。
浴室、台所、洗面所およびトイレなどの壁面、傾斜面のシリコーンシーラントやゴムパッキンなどの樹脂表面のカビ除去性の向上とともに、樹脂内部に発生したカビに対しても除去が十分に発揮できる。さらに、排水パイプの洗浄にも有効であり、水の流れを改善することもできる。